【手続補正書】
【提出日】平成18年12月6日(2006.12.6)
【手続補正１】
【補正対象書類名】明細書
【補正対象項目名】特許請求の範囲
【補正方法】変更
【補正の内容】
【特許請求の範囲】
【請求項１】  混合遷移金属触媒の存在下に２，３−ジハロプロパナールを水素化剤と２，３−ジハロプロパノールを生成する条件下に反応させることを含む、２，３−ジハロプロパノールの製造方法であって、前記混合遷移金属触媒は第一の遷移金属としてイリジウム金属を含みかつルテニウム、鉄、モリブデン、タングステン、レニウム、オスミウム、マンガン、バナジウム及びそれらの混合物から選ばれる少なくとも１種の第二の遷移金属を含み、イリジウム金属／第二の遷移金属の原子比が０．０２〜１５である方法。
【請求項２】  前記第二の遷移金属はルテニウムである、請求項１記載の方法。
【請求項３】  イリジウム金属／ルテニウム金属の原子比は０．１５〜８である、請求項２記載の方法。
【請求項４】  イリジウム金属／ルテニウム金属の原子比は０．３〜２である、請求項３記載の方法。
【請求項５】  前記触媒は不均一触媒である、請求項１記載の方法。
【請求項６】  前記触媒は均一触媒である、請求項１記載の方法。
【請求項７】  前記触媒は支持材料上に付着されたイリジウム及び第二の遷移金属を含む不均一触媒である、請求項５記載の方法。
【請求項８】  前記支持材料はシリカ、シリル化されたシリカ、炭素、アルミナ、チタニア、ジルコニア、マグネシア及びそれらの組み合わせから選ばれる、請求項７記載の方法。
【請求項９】  前記支持材料はシリル化されたシリカである、請求項８記載の方法。
【請求項１０】  前記触媒は、第Ｉ族又は遷移金属プロモータイオンを含む、請求項５記載の方法。
【請求項１１】  前記プロモータイオンは、Ｌｉ，Ｎａ，Ｋ，Ｃｓ，Ｆｅ，Ｍｏ，Ｗ，Ｖ，Ｍｎ，Ｏｓ，Ｐｔ，Ｐｄ，Ｒｈ及びそれらの混合物から選ばれる、請求項１０記載の方法。
【請求項１２】  前記プロモータイオンはＫである、請求項１１記載の方法。
【請求項１３】  前記触媒は配位子をさらに含む、請求項６記載の方法。
【請求項１４】  前記水素化剤は水素である、請求項１記載の方法。
【請求項１５】  分子水素／ジハロプロパナールの消費量は少なくとも０．７５：１である、請求項１４記載の方法。
【請求項１６】  少なくとも１４ｐｓｉａの水素分圧で行なう、請求項１４記載の方法。
【請求項１７】  ２，３−ジハロプロパナールは２，３−ジクロロプロパナール、２，３−ジブロモプロパナール、２，３−ジクロロ−２−メチルプロパナール、２，３−ジブロモ−２−メチルプロパナール及びそれらの混合物から選ばれる、請求項１記載の方法。
【請求項１８】  ２，３−ジハロプロパナールは未置換２，３−ジクロロプロパナールであり、そして生成される２，３−ジハロプロパノールは２，３−ジクロロプロパノールである、請求項１記載の方法。
【請求項１９】  ２，３−ジハロプロパナールは未置換２，３−ジブロモプロパナールであり、そして生成される２，３−ジハロプロパノールは２，３−ジブロモプロパノールである、請求項１記載の方法。
【請求項２０】  ０℃〜２００℃の温度で行なう、請求項１記載の方法。
【請求項２１】  反応混合物は溶剤をさらに含む、請求項１記載の方法。
【請求項２２】  前記溶剤は、水、カルボン酸、フェノール化合物、脂肪族アルコール、脂肪族及び芳香族炭化水素、カーボネート、エーテル、グライム、グリコールエーテル、ハロゲン化炭化水素又はそれらの混合物から選ばれる、請求項２１記載の方法。
【請求項２３】  反応混合物は酸スカベンジャーをさらに含む、請求項１記載の方法。
【請求項２４】  前記酸スカベンジャーはアルカリ金属炭酸塩；アルカリ金属重炭酸塩；アルカリ金属カルボン酸塩；アンモニウム及びホスホニウムカルボン酸塩、重炭酸塩、炭酸塩；エポキシド及びそれらの混合物から選ばれる、請求項２３記載の方法。
【請求項２５】  前記酸スカベンジャーはエピクロロヒドリンである、請求項２４記載の方法。
【請求項２６】  混合遷移金属触媒及び溶剤の存在下に、２，３−ジハロプロパナールと、少なくとも理論量の分子水素とを反応させる工程を含む、請求項１記載の方法。
【請求項２７】  (a)請求項１記載のとおりに２，３−ジハロプロパナールを還元して２，３−ジハロプロパノールを生成させること、及び、
(b)２，３−ジハロプロパノールと塩基とを接触させ、それにより、エピハロヒドリンを生成させること、
の工程を含む、エピハロヒドリンの製造方法。
【請求項２８】  (a)アクロレインをハロゲン化して２，３−ジハロプロパナールを生成させること、
(b)請求項１記載のとおりに２，３−ジハロプロパナールを還元して２，３−ジハロプロパノールを生成させること、及び、
(c)２，３−ジハロプロパノールを塩基と接触させ、それにより、エピハロヒドリンを生成させること、
の工程を含む、エピハロヒドリンの製造方法。
【請求項２９】  ３個の炭素原子を含む炭化水素と酸化剤とを反応させてアクロレインを生成させること、
(b)アクロレインと分子ハロゲンとを反応させて２，３−ジハロプロパナールを生成させること、
(c)２，３−ジハロプロパノールを生成させるために、請求項１記載のとおりに２，３−ジハロプロパナールを還元して２，３−ジハロプロパノールを生成させること、及び、
(d)２，３−ジハロプロパノールと塩基とを接触させ、それにより、エピハロヒドリンを生成させること、
の工程を含む、エピハロヒドリンの製造方法。
【手続補正２】
【補正対象書類名】明細書
【補正対象項目名】０００４
【補正方法】変更
【補正の内容】
【０００４】
２，３−ジハロプロパノールの上記還元反応のための幾つかの触媒は、米国特許第５，７４４，６５５号及び米国特許第６，００８，４１９号に開示されており、鉄、コバルト、ニッケル、ルテニウム、ロジウム、パラジウム、オスミウム、イリジウム、白金及びそれらの混合物から選ばれる第VIIIA族金属を含有する触媒を含む。この従来技術において既知の触媒は単一バッチタイプの反応において高い転化率及び選択率を提供するように選択される。持続された転化率及び選択率をもった触媒に対する強調は事実上なされていない。
【手続補正３】
【補正対象書類名】明細書
【補正対象項目名】００３３
【補正方法】変更
【補正の内容】
【００３３】
反応混合物はある副反応を生じさせることがあるハロゲン化水素のような強鉱酸を少量含むことが頻繁にある。反応は酸スカベンジャーの存在下に行なわれてよい。本発明に有用な適切な酸スカベンジャーの例はアルカリ金属炭酸塩、アルカリ金属重炭酸塩、第四級アンモニウムもしくはホスホニウムカルボン酸塩、重炭酸塩、炭酸塩、アルカリ金属カルボン酸塩、エポキシド及びそれらの混合物を含む。酸スカベンジャーの特定の例は炭酸ナトリウム、重炭酸ナトリウム、酸化エチレン、酸化プロピレン、酸化ブチレン、エピクロロヒドリン及びそれらの混合物を含む。エピクロロヒドリンは酸スカベンジャーとして作用する好ましいエポキシドである。一般に、反応混合物中の酸スカベンジャー／２，３−ジハロプロパナールのモル比は０．０１〜１であり、好ましくは０．０１〜０．５であり、そして最も好ましくは０．０１〜０．１である。
【手続補正４】
【補正対象書類名】明細書
【補正対象項目名】００４３
【補正方法】変更
【補正の内容】
【００４３】
例えば、本発明の方法の１つの態様は、イリジウム／第二の遷移金属の混合金属触媒及びプロトン性溶剤もしくは非プロトン性溶剤又はそれらの混合物の存在下に２，３−ジハロプロパナールを少なくとも理論量の分子水素と接触させる工程を含み、混合物はさらに酸スカベンジャーを含んでいてもよい。